【手続補正書】
【提出日】平成24年9月10日(2012.9.10)
【手続補正１】
【補正対象書類名】特許請求の範囲
【補正対象項目名】請求項４
【補正方法】変更
【補正の内容】
【請求項４】
前記プライオリティ付け手段は、
前記特定した属性データが複数の集合体データと対応付けられていると前記判断手段が判断したとき、その複数の集合体データの数に応じて優先度のランクを高くする、
ことを特徴とする請求項３に記載のコンテンツデータ検索装置。
【手続補正２】
【補正対象書類名】明細書
【補正対象項目名】発明の名称
【補正方法】変更
【補正の内容】
【発明の名称】コンテンツデータ検索装置、コンテンツデータ検索方法、及びコンテンツデータ検索プログラム
【手続補正３】
【補正対象書類名】明細書
【補正対象項目名】０００１
【補正方法】変更
【補正の内容】
【０００１】
本発明は、コンテンツデータ検索装置、コンテンツデータ検索方法、及びコンテンツデータ検索プログラムに関する。
【手続補正４】
【補正対象書類名】明細書
【補正対象項目名】０００７
【補正方法】変更
【補正の内容】
【０００７】
本発明の一態様であるコンテンツデータ検索装置は、コンテンツデータファイルに含まれるコンテンツデータの属性を示す属性データを取得する取得手段と、複数のコンテンツデータの各集合体を示す集合体データとそれらの集合体をなす各コンテンツデータの属性を示す属性データとを各々対応付けて記憶した自装置のデータベースまたは外部のデータベースにおいて、前記取得した属性データが複数の集合体データと対応付けられている場合に、その前記取得した属性データに対応するコンテンツデータファイルの優先度を高くするプライオリティ付け手段と、前記優先度に基づいてコンテンツデータファイルを検索する検索手段とを備えることを特徴とする。
【手続補正５】
【補正対象書類名】明細書
【補正対象項目名】０００８
【補正方法】変更
【補正の内容】
【０００８】
また、本発明の一態様であるコンテンツデータ検索装置は、プライオリティ付け装置によってプライオリティ付けされた優先度を用いるコンテンツデータ検索装置において、前記プライオリティ付け装置は、コンテンツデータファイルに含まれるコンテンツデータの属性を示す属性データを取得する取得手段と、複数のコンテンツデータの各集合体を示す集合体データとそれらの集合体をなす各コンテンツデータの属性を示す属性データとを各々対応付けて記憶した自装置のデータベースまたは外部のデータベースにおいて、前記取得した属性データが複数の集合体データと対応付けられている場合に、その前記取得した属性データに対応するコンテンツデータファイルの優先度を高くするプライオリティ付け手段とを備え、前記コンテンツデータ検索装置は、前記優先度に基づいてコンテンツデータファイルを検索する検索手段を備えることを特徴とする。
【手続補正６】
【補正対象書類名】明細書
【補正対象項目名】０００９
【補正方法】変更
【補正の内容】
【０００９】
また、本発明の一態様であるコンテンツデータ検索装置は、コンテンツデータファイルに含まれるコンテンツデータの属性を示す属性データを取得する取得手段と、複数のコンテンツデータの各集合体を示す集合体データとそれらの集合体をなす各コンテンツデータの属性を示す属性データとを各々対応付けて記憶した自装置のデータベースまたは外部のデータベースに前記取得した属性データとの一致度が所定値以上である集合体データが記憶されている場合に、その前記取得した属性データに対応するコンテンツデータファイルの優先度を高くするプライオリティ付け手段と、前記優先度に基づいてコンテンツデータファイルを検索する検索手段とを備えることを特徴とする。
【手続補正７】
【補正対象書類名】明細書
【補正対象項目名】００１０
【補正方法】変更
【補正の内容】
【００１０】
また、本発明の一態様であるコンテンツデータ検索装置は、プライオリティ付け装置によってプライオリティ付けされた優先度を用いるコンテンツデータ検索装置において、前記プライオリティ付け装置は、コンテンツデータファイルに含まれるコンテンツデータの属性を示す属性データを取得する取得手段と、複数のコンテンツデータの各集合体を示す集合体データとそれらの集合体をなす各コンテンツデータの属性を示す属性データとを各々対応付けて記憶した自装置のデータベースまたは外部のデータベースに前記取得した属性データとの一致度が所定値以上である集合体データが記憶されている場合に、その前記取得した属性データに対応するコンテンツデータファイルの優先度を高くするプライオリティ付け手段とを備え、前記コンテンツデータ検索装置は、前記優先度に基づいてコンテンツデータファイルを検索する検索手段を備えることを特徴とする。
【手続補正８】
【補正対象書類名】明細書
【補正対象項目名】００１１
【補正方法】変更
【補正の内容】
【００１１】
また、本発明の一態様であるコンテンツデータ検索装置は、コンテンツデータファイルに含まれるコンテンツデータの属性を示す属性データを取得する取得手段と、複数のコンテンツデータの集合体を示す集合体データ、集合体をなす各コンテンツデータの属性を示す属性データ、およびそれらのコンテンツデータの収録順を示す収録順データを各集合体ごとに対応付けて記憶した自装置のデータベースまたは外部のデータベースにおいて、前記取得した属性データとともに前記集合体データと対応付けられた属性データの数が所定の数よりも多く、且つ前記取得した属性データと対応付けられた収録順データが所定の条件を満たす場合に、その前記取得した属性データに対応するコンテンツデータファイルの優先度を高くするプライオリティ付け手段と、前記優先度に基づいてコンテンツデータファイルを検索する検索手段とを備えることを特徴とする。
【手続補正９】
【補正対象書類名】明細書
【補正対象項目名】００１２
【補正方法】変更
【補正の内容】
【００１２】
また、本発明の一態様であるコンテンツデータ検索装置は、プライオリティ付け装置によってプライオリティ付けされた優先度を用いるコンテンツデータ検索装置において、前記プライオリティ付け装置は、コンテンツデータファイルに含まれるコンテンツデータの属性を示す属性データを取得する取得手段と、複数のコンテンツデータの集合体を示す集合体データ、集合体をなす各コンテンツデータの属性を示す属性データ、およびそれらのコンテンツデータの収録順を示す収録順データを各集合体ごとに対応付けて記憶した自装置のデータベースまたは外部のデータベースにおいて、前記取得した属性データとともに前記集合体データと対応付けられた属性データの数が所定の数よりも多く、且つ前記取得した属性データと対応付けられた収録順データが所定の条件を満たす場合に、その前記取得した属性データに対応するコンテンツデータファイルの優先度を高くするプライオリティ付け手段とを備え、前記コンテンツデータ検索装置は、前記優先度に基づいてコンテンツデータファイルを検索する検索手段を備えることを特徴とする。
【手続補正１０】
【補正対象書類名】明細書
【補正対象項目名】００１３
【補正方法】変更
【補正の内容】
【００１３】
また、本発明の一態様であるコンテンツデータ検索方法は、コンテンツデータファイルに含まれるコンテンツデータの属性を示す属性データを取得する取得ステップと、複数のコンテンツデータの各集合体を示す集合体データとそれらの集合体をなす各コンテンツデータの属性を示す属性データとを各々対応付けて記憶した自装置のデータベースまたは外部のデータベースにおいて、前記取得した属性データが複数の集合体データと対応付けられている場合に、その前記取得した属性データに対応するコンテンツデータファイルの優先度を高くするプライオリティ付けステップと、前記優先度に基づいてコンテンツデータファイルを検索する検索ステップとを有することを特徴とする。
【手続補正１１】
【補正対象書類名】明細書
【補正対象項目名】００１４
【補正方法】変更
【補正の内容】
【００１４】
また、本発明の一態様であるコンテンツデータ検索方法は、プライオリティ付け装置によってプライオリティ付けされた優先度を用いるコンテンツデータ検索方法において、前記プライオリティ付け装置は、コンテンツデータファイルに含まれるコンテンツデータの属性を示す属性データを取得する取得手段と、複数のコンテンツデータの各集合体を示す集合体データとそれらの集合体をなす各コンテンツデータの属性を示す属性データとを各々対応付けて記憶した自装置のデータベースまたは外部のデータベースにおいて、前記取得した属性データが複数の集合体データと対応付けられている場合に、その前記取得した属性データに対応するコンテンツデータファイルの優先度を高くするプライオリティ付け手段とを備え、前記コンテンツデータ検索方法は、前記優先度に基づいてコンテンツデータファイルを検索する検索ステップを有することを特徴とする。
【手続補正１２】
【補正対象書類名】明細書
【補正対象項目名】００１５
【補正方法】変更
【補正の内容】
【００１５】
また、本発明の一態様であるコンテンツデータ検索方法は、コンテンツデータファイルに含まれるコンテンツデータの属性を示す属性データを取得する取得ステップと、複数のコンテンツデータの各集合体を示す集合体データとそれらの集合体をなす各コンテンツデータの属性を示す属性データとを各々対応付けて記憶した自装置のデータベースまたは外部のデータベースに前記取得した属性データとの一致度が所定値以上である集合体データが記憶されている場合に、その前記取得した属性データに対応するコンテンツデータファイルの優先度を高くするプライオリティ付けステップと、前記優先度に基づいてコンテンツデータファイルを検索する検索ステップとを有することを特徴とする。
また、本発明の一態様であるコンテンツデータ検索方法は、プライオリティ付け装置によってプライオリティ付けされた優先度を用いるコンテンツデータ検索方法において、前記プライオリティ付け装置は、コンテンツデータファイルに含まれるコンテンツデータの属性を示す属性データを取得する取得手段と、複数のコンテンツデータの各集合体を示す集合体データとそれらの集合体をなす各コンテンツデータの属性を示す属性データとを各々対応付けて記憶した自装置のデータベースまたは外部のデータベースに前記取得した属性データとの一致度が所定値以上である集合体データが記憶されている場合に、その前記取得した属性データに対応するコンテンツデータファイルの優先度を高くするプライオリティ付け手段とを備え、前記コンテンツデータ検索方法は、前記優先度に基づいてコンテンツデータファイルを検索する検索ステップを有することを特徴とする。
また、本発明の一態様であるコンテンツデータ検索方法は、コンテンツデータファイルに含まれるコンテンツデータの属性を示す属性データを取得する取得ステップと、複数のコンテンツデータの集合体を示す集合体データ、集合体をなす各コンテンツデータの属性を示す属性データ、およびそれらのコンテンツデータの収録順を示す収録順データを各集合体ごとに対応付けて記憶した自装置のデータベースまたは外部のデータベースにおいて、前記取得した属性データとともに前記集合体データと対応付けられた属性データの数が所定の数よりも多く、且つ前記取得した属性データと対応付けられた収録順データが所定の条件を満たす場合に、その前記取得した属性データに対応するコンテンツデータファイルの優先度を高くするプライオリティ付けステップと、前記優先度に基づいてコンテンツデータファイルを検索する検索ステップとを有することを特徴とする。
また、本発明の一態様であるコンテンツデータ検索方法は、プライオリティ付け装置によってプライオリティ付けされた優先度を用いるコンテンツデータ検索方法において、前記プライオリティ付け装置は、コンテンツデータファイルに含まれるコンテンツデータの属性を示す属性データを取得する取得手段と、複数のコンテンツデータの集合体を示す集合体データ、集合体をなす各コンテンツデータの属性を示す属性データ、およびそれらのコンテンツデータの収録順を示す収録順データを各集合体ごとに対応付けて記憶した自装置のデータベースまたは外部のデータベースにおいて、前記取得した属性データとともに前記集合体データと対応付けられた属性データの数が所定の数よりも多く、且つ前記取得した属性データと対応付けられた収録順データが所定の条件を満たす場合に、その前記取得した属性データに対応するコンテンツデータファイルの優先度を高くするプライオリティ付け手段とを備え、前記コンテンツデータ検索方法は、前記優先度に基づいてコンテンツデータファイルを検索する検索ステップを有することを特徴とする。
また、本発明の一態様であるコンテンツデータ検索プログラムは、コンテンツデータ検索装置のコンピュータに、コンテンツデータファイルに含まれるコンテンツデータの属性を示す属性データを取得する取得ステップと、複数のコンテンツデータの各集合体を示す集合体データとそれらの集合体をなす各コンテンツデータの属性を示す属性データとを各々対応付けて記憶した自装置のデータベースまたは外部のデータベースにおいて、前記取得した属性データが複数の集合体データと対応付けられている場合に、その前記取得した属性データに対応するコンテンツデータファイルの優先度を高くするプライオリティ付けステップと、前記優先度に基づいてコンテンツデータファイルを検索する検索ステップとを実行させることを特徴とする。
また、本発明の一態様であるコンテンツデータ検索プログラムは、プライオリティ付け装置によってプライオリティ付けされた優先度を用いる、コンテンツデータ検索装置のコンピュータに実行させるコンテンツデータ検索プログラムにおいて、前記プライオリティ付け装置は、コンテンツデータファイルに含まれるコンテンツデータの属性を示す属性データを取得する取得手段と、複数のコンテンツデータの各集合体を示す集合体データとそれらの集合体をなす各コンテンツデータの属性を示す属性データとを各々対応付けて記憶した自装置のデータベースまたは外部のデータベースにおいて、前記取得した属性データが複数の集合体データと対応付けられている場合に、その前記取得した属性データに対応するコンテンツデータファイルの優先度を高くするプライオリティ付け手段とを備え、前記コンテンツデータ検索プログラムは、前記コンピュータに、前記優先度に基づいてコンテンツデータファイルを検索させる検索ステップを有することを特徴とする。
また、本発明の一態様であるコンテンツデータ検索プログラムは、コンテンツデータ検索装置のコンピュータに、コンテンツデータファイルに含まれるコンテンツデータの属性を示す属性データを取得する取得ステップと、複数のコンテンツデータの各集合体を示す集合体データとそれらの集合体をなす各コンテンツデータの属性を示す属性データとを各々対応付けて記憶した自装置のデータベースまたは外部のデータベースに前記取得した属性データとの一致度が所定値以上である集合体データが記憶されている場合に、その前記取得した属性データに対応するコンテンツデータファイルの優先度を高くするプライオリティ付けステップと、前記優先度に基づいてコンテンツデータファイルを検索する検索ステップとを実行させることを特徴とする。
また、本発明の一態様であるコンテンツデータ検索プログラムは、プライオリティ付け装置によってプライオリティ付けされた優先度を用いる、コンテンツデータ検索装置のコンピュータに実行させるコンテンツデータ検索プログラムにおいて、前記プライオリティ付け装置は、コンテンツデータファイルに含まれるコンテンツデータの属性を示す属性データを取得する取得手段と、複数のコンテンツデータの各集合体を示す集合体データとそれらの集合体をなす各コンテンツデータの属性を示す属性データとを各々対応付けて記憶した自装置のデータベースまたは外部のデータベースに前記取得した属性データとの一致度が所定値以上である集合体データが記憶されている場合に、その前記取得した属性データに対応するコンテンツデータファイルの優先度を高くするプライオリティ付け手段とを備え、前記コンテンツデータ検索プログラムは、前記コンピュータに、前記優先度に基づいてコンテンツデータファイルを検索する検索ステップを有することを特徴とする。
また、本発明の一態様であるコンテンツデータ検索プログラムは、コンテンツデータ検索装置のコンピュータに、コンテンツデータファイルに含まれるコンテンツデータの属性を示す属性データを取得する取得ステップと、複数のコンテンツデータの集合体を示す集合体データ、集合体をなす各コンテンツデータの属性を示す属性データ、およびそれらのコンテンツデータの収録順を示す収録順データを各集合体ごとに対応付けて記憶した自装置のデータベースまたは外部のデータベースにおいて、前記取得した属性データとともに前記集合体データと対応付けられた属性データの数が所定の数よりも多く、且つ前記取得した属性データと対応付けられた収録順データが所定の条件を満たす場合に、その前記取得した属性データに対応するコンテンツデータファイルの優先度を高くするプライオリティ付けステップと、前記優先度に基づいてコンテンツデータファイルを検索する検索ステップとを実行させることを特徴とする。
また、本発明の一態様であるコンテンツデータ検索プログラムは、プライオリティ付け装置によってプライオリティ付けされた優先度を用いる、コンテンツデータ検索装置のコンピュータに実行させるコンテンツデータ検索プログラムにおいて、前記プライオリティ付け装置は、コンテンツデータファイルに含まれるコンテンツデータの属性を示す属性データを取得する取得手段と、複数のコンテンツデータの集合体を示す集合体データ、集合体をなす各コンテンツデータの属性を示す属性データ、およびそれらのコンテンツデータの収録順を示す収録順データを各集合体ごとに対応付けて記憶した自装置のデータベースまたは外部のデータベースにおいて、前記取得した属性データとともに前記集合体データと対応付けられた属性データの数が所定の数よりも多く、且つ前記取得した属性データと対応付けられた収録順データが所定の条件を満たす場合に、その前記取得した属性データに対応するコンテンツデータファイルの優先度を高くするプライオリティ付け手段とを備え、前記コンテンツデータ検索プログラムは、前記コンピュータに、前記優先度に基づいてコンテンツデータファイルを検索する検索ステップを有することを特徴とする。